(57)【特許請求の範囲】
【請求項１】
一部に切欠き部を有した略円筒形状に形成され、当接部に接触する弾性変形可能な接触体と、
略円弧状に湾曲した板状で断面略Ｕ字形状に形成され、前記接触体の内側に位置し、前記接触体が所定の許容変形量を超えて変形するのを抑制する変形抑制体とを備え、
前記変形抑制体は、前記接触体の内面に当接してこの接触体が所定の許容変形量を超えて変形するのを抑制する作用当接部を有し、
前記作用当接部は、前記接触体の内側においてこの接触体の上下方向の中心軸線より前方位置に位置している
ことを特徴とする密閉具。
【請求項２】
基準面からの距離を調節可能な基体と、
この基体の前記基準面側とは反対側に設けられ、一部に切欠き部を有した略円筒形状に形成され、当接部に接触する弾性変形可能な接触体と、
前記基体に設けられ、略円弧状に湾曲した板状で断面略Ｕ字形状に形成され、前記接触体の内側に位置し、前記接触体が所定の許容変形量を超えて変形するのを抑制する変形抑制体とを備え、
前記変形抑制体は、前記接触体の内面に当接してこの接触体が所定の許容変形量を超えて変形するのを抑制する作用当接部を有し、
前記作用当接部は、前記接触体の内側においてこの接触体の上下方向の中心軸線より前方位置に位置している
ことを特徴とする密閉具。
【請求項３】
基体の基準面側に、この基体から取外し可能な距離調節用の取外し体が設けられている
ことを特徴とする請求項２記載の密閉具。
【請求項４】
取外し体は、積層された複数枚の取外し板を有し、
前記複数枚の取外し板は、１枚ごとに取外し可能な構成とされている
ことを特徴とする請求項３記載の密閉具。
【請求項５】
取外し板の幅寸法は、基体の基台の幅寸法より大きな寸法に設定されている
ことを特徴とする請求項４記載の密閉具。
【請求項６】
基体は、
板状の基台と、
この基台の幅方向の両端部から前方に向って突出した左右一対の突出板と、
この各突出板の前端部に設けられ、前端側に向って徐々に互いに接近する方向に傾斜した傾斜状の左右一対の連絡部とを有し、
変形抑制体の作用当接部は、前記連絡部の前端部に、互いに離間対向した平行状の左右一対の連結部を介して連結され、
接触体の切欠き部を介して離間対向した両連結端部は、前記連絡部の外面側の傾斜状の連絡面に連結されている
ことを特徴とする請求項２ないし５のいずれか一記載の密閉具。
【請求項７】
各突出板の互いに離間対向する内面とは反対側の外面には、位置決め固定手段が突設され、
前記位置決め固定手段は、設置凹溝部内への基体の押し込みにより、前記設置凹溝部に係止される
ことを特徴とする請求項６記載の密閉具。
【請求項８】
接触体の内面は、円弧状の山を有した凹凸面にて形成されている
ことを特徴とする請求項１ないし７のいずれか一記載の密閉具。
【請求項９】
当接部は、移動可能な移動体である
ことを特徴とする請求項１ないし８のいずれか一記載の密閉具。
【請求項１０】
当接部と、この当接部に接触する請求項１ないし８のいずれか一記載の密閉具とを具備している
ことを特徴とする閉鎖装置。
【請求項１１】
当接部は、所定方向に向って移動して被閉鎖部を閉鎖する移動可能な移動体である
ことを特徴とする請求項１０記載の閉鎖装置。
【発明の詳細な説明】
【０００１】
【発明の属する技術分野】
本発明は、取付誤差、製品誤差等の誤差に対して適切に対応できる密閉具およびこの密閉具を備えた閉鎖装置に関する。
【０００２】
【従来の技術】
従来の密閉具として、例えば、図６に示す扉装置用の密閉具１が知られている。
【０００３】
この扉装置用の密閉具１は、移動体である回動式の扉体２と扉用枠体３との間に位置して、扉体２の室外側から室内側への風等による流体等の移動を阻止し、また、扉体２と扉用枠体３との干渉を阻止するもので、例えば、合成ゴム等にて一体に形成された上下方向に細長形状の基体５を備えている。
【０００４】
この基体５は、四角筒形状の本体部６を有し、この本体部の前面部には、クッション材を合成ゴムで挟持した比較的軟質の弾性材にて形成された略円筒形状の接触体７が一体に取り付けられており、この接触体７は扉体２と面状に接触して略楕円形状に変形した密着状態となる。
【０００５】
また、本体部６の後面部は、前面部に比べてやや肉厚に形成されて、扉用枠体３の受け面3aに接触している。なお、本体部６の左右側面部には、基体５を扉用枠体３に対して位置決め固定するための位置決め固定用の羽根部８が側方に向って複数対突設されている。
【０００６】
【発明が解決しようとする課題】
このように上記図６に示す従来の密閉具１は、単に、弾性変形可能な略円筒形状の接触体７を基体５に一体に設けた構成にすぎず、例えば扉体２の取付誤差、製品誤差等に対する工夫が何ら施されていないため、取付誤差、製品誤差等の誤差に対して適切に対応できないおそれがある。
【０００７】
すなわち、例えば、扉体２の取付精度が悪かったために、扉体２が閉鎖位置まで移動せず閉まりきらない事態や、逆に扉体２が閉鎖位置を超えてしまい内側に入りすぎる事態等が生じた場合に、例えば、扉用枠体３に取り付けた扉体２を一旦取り外して、扉体２の取付誤差を修正しなければならない。
【０００８】
本発明は、このような点に鑑みなされたもので、取付誤差、製品誤差等の誤差に対して適切に対応できる密閉具および閉鎖装置を提供することを目的とする。
【０００９】
【課題を解決するための手段】
請求項１記載の密閉具は、一部に切欠き部を有した略円筒形状に形成され、当接部に接触する弾性変形可能な接触体と、略円弧状に湾曲した板状で断面略Ｕ字形状に形成され、前記接触体の内側に位置し、前記接触体が所定の許容変形量を超えて変形するのを抑制する変形抑制体とを備え、前記変形抑制体は、前記接触体の内面に当接してこの接触体が所定の許容変形量を超えて変形するのを抑制する作用当接部を有し、前記作用当接部は、前記接触体の内側においてこの接触体の上下方向の中心軸線より前方位置に位置しているものである。
【００１０】
請求項２記載の密閉具は、基準面からの距離を調節可能な基体と、この基体の前記基準面側とは反対側に設けられ、一部に切欠き部を有した略円筒形状に形成され、当接部に接触する弾性変形可能な接触体と、前記基体に設けられ、略円弧状に湾曲した板状で断面略Ｕ字形状に形成され、前記接触体の内側に位置し、前記接触体が所定の許容変形量を超えて変形するのを抑制する変形抑制体とを備え、前記変形抑制体は、前記接触体の内面に当接してこの接触体が所定の許容変形量を超えて変形するのを抑制する作用当接部を有し、前記作用当接部は、前記接触体の内側においてこの接触体の上下方向の中心軸線より前方位置に位置しているものである。
【００１１】
請求項３記載の密閉具は、請求項２記載の密閉具において、基体の基準面側に、この基体から取外し可能な距離調節用の取外し体が設けられているものである。
【００１２】
請求項４記載の密閉具は、請求項３記載の密閉具において、取外し体は、積層された複数枚の取外し板を有し、前記複数枚の取外し板は、１枚ごとに取外し可能な構成とされているものである。
【００１３】
請求項５記載の密閉具は、請求項４記載の密閉具において、取外し板の幅寸法は、基体の基台の幅寸法より大きな寸法に設定されているものである。
【００１４】
請求項６記載の密閉具は、請求項２ないし５のいずれか一記載の密閉具において、基体は、板状の基台と、この基台の幅方向の両端部から前方に向って突出した左右一対の突出板と、この各突出板の前端部に設けられ、前端側に向って徐々に互いに接近する方向に傾斜した傾斜状の左右一対の連絡部とを有し、変形抑制体の作用当接部は、前記連絡部の前端部に、互いに離間対向した平行状の左右一対の連結部を介して連結され、接触体の切欠き部を介して離間対向した両連結端部は、前記連絡部の外面側の傾斜状の連絡面に連結されているものである。
【００１５】
請求項７記載の密閉具は、請求項６記載の密閉具において、各突出板の互いに離間対向する内面とは反対側の外面には、位置決め固定手段が突設され、前記位置決め固定手段は、設置凹溝部内への基体の押し込みにより、前記設置凹溝部に係止されるものである。
【００１６】
請求項８記載の密閉具は、請求項１ないし７のいずれか一記載の密閉具において、接触体の内面は、円弧状の山を有した凹凸面にて形成されているものである。
【００１７】
請求項９記載の密閉具は、請求項１ないし８のいずれか一記載の密閉具において、当接部は、移動可能な移動体であるものである。
【００１８】
請求項１０記載の閉鎖装置は、当接部と、この当接部に接触する請求項１ないし８のいずれか一記載の密閉具とを具備しているものである。
【００１９】
請求項１１記載の閉鎖装置は、請求項１０記載の閉鎖装置において、当接部は、所定方向に向って移動して被閉鎖部を閉鎖する移動可能な移動体であるものである。
【００２０】
【発明の実施の形態】
以下、本発明の一実施の形態の構成を図面を参照して説明する。
【００２１】
図２において、11は閉鎖装置としての開閉装置であるドア等の扉装置で、この扉装置11は、例えば玄関用の扉装置で、略矩形枠状の被取付け体としての扉用枠体12を備えている。扉用枠体12の図示しない扉設置部には、所定方向つまり開口方向Ｏおよび閉鎖方向Ｃに向って回動して被閉鎖部13を開閉する当接部としての移動体である開閉体、例えば扉体15が、回動可能に設けられている。
【００２２】
また、扉用枠体12に形成され開口方向Ｏに略一致した方向に向って開口した上下方向に細長で凹溝状の密閉具設置部としての設置凹溝部16には、扉体15の一方側としての外側である室外側と他方側としての内側である室内側との空間部である間隙を遮蔽（閉塞）することにより、室外側および室内側のいずれか一方から他方への流体、例えば風等の外気である気体の移動つまり流通を阻止する密閉具20が、嵌入や係合等により位置決め固定された状態に設けられている。密閉具20は、例えば上下方向に細長で上端部および下端部が開口した中空状となっており、密閉具20の先端側が設置凹溝部16内から扉体15側である前方に向ってやや突出している。
【００２３】
扉体15は、図２に示すように、片持ちの開き戸等で、例えば上下方向に長手方向を有する細長で矩形板状に形成され、扉用枠体12の図示しない扉設置部に図示しないヒンジ等の連結部材を介して回動自在に取り付けられており、扉体15は幅方向の一端側の上下方向の回動中心軸を中心として回転自在とされている。
【００２４】
また、扉体15の幅方向の他端側には、被閉鎖部13の閉鎖状態を維持するために、扉体15を扉用枠体12に対して固定するための一方の固定手段としてのラッチ19が設けられている。また、扉用枠体12における扉体15のラッチ19に対応した所定位置には、ラッチ19が係合し扉体15を扉用枠体12に対して固定するための他方の固定手段としてのラッチ受けが設けられている。なお、扉体15には、図示しないノブ等の把持手段が設けられている。
【００２５】
密閉具20は、図１に示すように、扉体15と扉用枠体12との関係つまり係り代を適正に保てる構造の気密性保持具等で、扉用枠体12の設置凹溝部16の溝底面に形成された受け面である基準面21からの距離Ｘ（図１上、基準面21に対する基体23の高さ位置）を調節可能な基体23を有している。すなわち、基体23の基準面21側である後面側つまり室内側にこの基体23から取外し可能な高さ調節用のスペーサとしての距離調節用の取外し体24が設けられ、この取外し体24の取外しによって基体23の基準面21からの距離Ｘを調節できる。
【００２６】
また、基体23の基準面側とは反対側である前面側つまり室外側には、設置凹溝部16内から扉体15側である前方に向って突出して扉体15に面状に接触する弾性変形可能な略円筒状の密着体としての接触体25が設けられている。
【００２７】
ここで、基体23は、例えばゴム材やプラスチック材等にて一体に形成され、例えば上下方向に長手方向を有する細長の筒形状をなしている。
【００２８】
この基体23は、前方に向って開口した断面略コ字形状の本体部31を有し、この本体部31は、上下方向に長手方向を有する細長矩形板状の基台32と、この基台32の幅方向の両端部から前方に向って突出した左右一対の突出板33，33とにて構成されている。
【００２９】
各突出板33の互いに離間対向する内面とは反対側の外面には、位置決め固定手段としての係止部である羽根部34が側方に向って複数突設されており、各羽根部34は、弾性変形可能とされ、基端側から先端側に向って徐々に前方向に傾斜した傾斜状に設けられている。そして、各羽根部34は、設置凹溝部16内への基体23の押し込みにより、先端側が変形して設置凹溝部16の側面である係止面22，22にて係止され、これにより、基体23ひいては密閉具20自体が、扉用枠体12に対して位置決め固定される。
【００３０】
また、各突出板33の前端部である先端部には、基端側から先端側に向って徐々に互いに接近する方向に傾斜した傾斜状の左右一対の連絡部36，36が連設されており、これら左右一対の連絡部36の前端部である先端部は、略円弧状に湾曲した板状で断面略Ｕ字形状の高さ維持構造である変形抑制体としての変形抑制部37にて一体に連結されている。
【００３１】
この変形抑制部37は、略円筒状の接触体25の内面に当接してこの接触体25が所定の許容変形量を超えて変形するのを抑制する断面半円弧状の突起部である作用当接部38を有している。この作用当接部38は、各連絡部36の先端部に、互いに離間対向した平行状の左右一対の連結部39，39を介して一体に連結されており、接触体25の内側における前方寄りの位置に位置している。すなわち、作用当接部38は、略円筒状の接触体25の上下方向の中心軸線イつまり接触体25の周縁から距離の等しい点を結んだ線より、前方位置に位置している。
【００３２】
続いて、取外し体24は、例えばゴム材やプラスチック材等にて上下方向に長手方向を有する細長板状に形成され、基体23の基台32の基準面21側の面である後面に、この基台32から取外し可能に取り付けられている。
【００３３】
この取外し体24は、積層された複数枚、例えば２枚の細長矩形状の取外し板41，41にて形成され、これら複数枚の取外し板41は、１枚ごとに取外し可能つまり剥離可能な構成とされている。各取外し板41は、作業者の手作業で容易に剥離できるように、前面側に前方に向って先細状に突設された複数本、例えば３本の支持片42，42，42のみで支持された３点支持の構成とされている。
【００３４】
なお、取外し板41の厚さ寸法は、例えば約１．５mmに設定されている。取外し板41の幅寸法は、基台32の幅寸法（例えば約６．５mm）より大きな寸法、例えば約１０mmに設定されている。
【００３５】
そして、取外し板41を必要に応じて、１枚または２枚剥離することで、基体23の基準面21からの距離Ｘをもとの状態より小さく設定できる。すなわち、基体23に２枚の取外し板41，41が付いている状態では、距離Ｘ＝約３．０mmであるのに対し、取外し板41を１枚剥がすと距離Ｘ＝約１．５mmとなり、取外し板41，41を２枚とも剥がすと距離Ｘ＝０mmとなり、基体23の基台32の後面が基準面21に直接接触し、基台32の後面と基準面21とが同一面上に位置することとなる。
【００３６】
次いで、接触体25は、例えばクッション材をゴム材等で挟持したものや多孔質軟質ゴム材、軟質プラスチック材等の比較的軟質の弾性材にて一体に形成され、例えば上下方向に長手方向を有する細長状で、かつ、一部に切欠き部45を有した略円筒形状をなしている。
【００３７】
この接触体25の切欠き部45を介して離間対向した両端部である連結端部46，46は、基体23の左右一対の連絡部36，36の外面側の傾斜状の連絡面36aに一体に連結されている。基体23の各連絡部36は、接触体25の切欠き部45内に位置し、かつ、接触体25の連結端部46が連絡部36の連絡面36aに対して鋭角的に折り曲ることがないように、接触体25の中心軸線イ側に向った傾斜状とされている。なお、接触体25の内面は、円弧状の山47を有した凹凸面48にて形成されている。
【００３８】
そして、接触体25は、閉鎖方向Ｃに移動する扉体15にて押圧されることにより、略楕円形状に変形して扉体15の幅方向端部の室内側の面と作用当接部38の先端側の面とで面接触で挟持された状態となり、これにより、扉体15と扉用枠体12の基準面21との間の間隙がなくなり、例えば扉体15の室外側から室内側への風等の気体の移動が阻止される。
【００３９】
次に、上記一実施の形態の作用効果等について説明する。
【００４０】
例えば、扉装置11の施工後に、図３に示すように、扉体15や扉用枠体12等の取付精度、製品精度、或いは、密閉具20の形状、硬さ等に関する製品精度が悪かった等の理由から、扉体15が閉鎖方向Ｃに行き足りない事態すなわち扉体２が所定の閉鎖位置まで移動せず閉まりきらない事態が生じたとする。
【００４１】
この場合、作業者は、扉用枠体12の設置凹溝部16に装着した密閉具20を扉用枠体12から一旦取り外す。そして、作業者は、例えば、積層された２枚の取外し板41，41のうちの外側の取外し板41を、基体23の基台32後面にくっついた内側の取外し板41から剥がし取る。
【００４２】
その後、図４に示すように、再び密閉具20を扉用枠体12の設置凹溝部16に装着し、残った内側の取外し板41を扉用枠体12の基準面21に接触させ、密閉具20の後面と基準面21とを同一面上に位置させる。こうして、基体23の基準面21からの距離Ｘが調節され、扉体15の取付誤差等が修正され、その結果、扉体15は所定の閉鎖位置まで移動する。
【００４３】
このように、扉装置11の密閉具20によれば、基体23の基準面21からの距離Ｘを微調節することにより、例えば扉体15の取付誤差等を修正できるので、図６に示す従来の密閉具１では必要であった扉体15を付け直す等の作業を不要にでき、取付誤差、製品誤差等の誤差に適切に対応できる。
【００４４】
したがって、被閉鎖部13の閉鎖時に、扉体15を適正な閉鎖位置に位置させることができ、よって、取付精度、製品精度等の悪影響を防止することにより、気密性、水密性等の密閉性を簡単かつ確実に確保できる。また、ラッチ19のかかり具合も良好にでき、ラッチ19のかかりが悪い等の不具合の発生を確実に防止できる。
【００４５】
また一方、扉装置11の密閉具20によれば、基体23の変形抑制部37の作用当接部38にて、接触体25が所定の許容変形量を超えて変形するのを抑制できるので、図６に示す従来の密閉具１では必要であった扉体15を付け直す等の作業を不要にでき、取付誤差、製品誤差等の誤差に適切に対応できる。
【００４６】
すなわち、例えば、図６に示す従来の密閉具１の構成では、図５の二点鎖線で示すように、扉体15や扉用枠体12等の取付精度、製品精度、或いは、密閉具20の形状、硬さ等に関する製品精度が悪かった等の理由や、密閉具20の経年劣化の理由から、扉体15が閉鎖方向Ｃに行き過ぎる傾向にある事態すなわち扉体２が所定の閉鎖位置を超えてしまい内側に入りすぎる事態が生じた場合には、扉体15を付け直す作業、或いは、密閉具１と扉用枠体12との間に高さ確保のための補助部材等を位置させる作業等をしなければならなかった。
【００４７】
これに対し、図１に示す従来の密閉具１の構成では、図５の実線で示すように、変形抑制体37の作用当接部38を接触体25の内面側の凹凸面48に当接させることで、接触体25が所定の許容変形量を超えて変形するのを効果的に抑制できるため、扉体15を付け直す等の作業が必要でなく、取付誤差、製品誤差等の誤差に適切に対応できる。
【００４８】
したがって、被閉鎖部13の閉鎖時に、扉体15を比較的設計寸法に近い適正な閉鎖位置に位置させることができ、よって、取付精度、製品精度等の悪影響を防止することにより、気密性、水密性等の密閉性を簡単かつ確実に確保できる。また、ラッチ19のかかり具合も良好にでき、ラッチ19のかかりが悪い等の不具合の発生を確実に防止できる。
【００４９】
なお、上記実施の形態では、閉鎖装置は、移動可能な当接部である移動体としての回動可能な扉体15を備えた扉装置11であるとして説明したが、これには限定されず、摺動可能な扉体を備えた引戸としての扉装置、シャッタ装置、ブラインド装置、スライディングウォール装置、スクリーン装置、防煙垂れ幕装置、防煙垂れ壁装置、防潮板装置、防止板装置、オーニング装置等、或いは、これら装置のうちの同種または異種を複数並設したものでもよい。
【００５０】
また、密閉具20は、扉装置11等の閉鎖装置に適用できるばかりでなく、閉鎖装置以外の各種の建具等にも適用できる。
【００５１】
また、密閉具20は、基体23の基準面21側にこの基体23から取外し可能な距離調節用の取外し体を設けた構成として説明したが、例えば、基体23の基準面21側にこの基体23に対して着脱可能な距離調節用の着脱体を設けた構成でもよい。
【００５２】
さらに、密閉具20の取外し体24は、積層された２枚の取外し板41，41にて形成した構成として説明したが、例えば、３枚、４枚或いはそれ以上の複数枚の取外し板41にて形成した構成でもよい。また、取外し板41は、３本の支持片42のみで支持した３点支持の構成には限定されず、１点や２点、４点、５点或いはそれ以上の複数点で支持する構成でもよい。
【００５３】
また、密閉具20は、枠やレール、床、壁、天井等の不動体である不動部（側）に設けられていてもよく、移動体（側）に設けられていてもよく、不動部（側）と移動体（側）の両方に設けられていてもよい。なお、不動体（側）に設けた場合、密閉具20は移動可能な当接部である移動体（側）に接触して密閉し、移動体（側）に設けた場合、密閉具20は移動不能な当接部である不動体（側）に接触して密閉するようなものでよい。密閉具20を備えた閉鎖装置は、枠やレール、床、壁、天井等の不動体と、扉体15等の移動体とを含んで構成されている。
【００５４】
また、例えば、パネルシャッター装置やスライディングウォール装置のパネルカーテンのようにパネルカーテンが複数のパネル体にて構成され、移動中は各々のパネル体が分離されていて、閉鎖時に各々のパネル体が当接してパネルカーテンを形成構成し密閉する構造の閉鎖装置のように、閉鎖装置の移動体が複数の移動体構成部材にて構成される場合は、その複数の移動体構成部材の当接箇所に密閉具20を設け、より密閉された移動体を構成するようにしてもよい。
【００５５】
さらに、密閉具20は、１つの金型等で一体に形成された基体および接触体にて構成したものでもよく、それぞれ対応する金型等で別体に形成された基体および接触体を接着剤等の結合材を用いて結合して構成したものでもよく、別体に形成された基体および接触体を結合することなく着脱自在の構成としてもよい。
【００５６】
また、基体と接触体からなる密閉具の形状や構成は、より密閉しやすい形状や構成、或いは、密閉具が設置される密閉具設置部の形状や構造を考慮したものであれば任意なものでよい。
【００５７】
さらに、基体と接触体とを比較すると、基体の方がより硬質で接触体が基体よりも軟質なものがより好ましい。
【００５８】
また一方、密閉具を設置凹溝部16等の密閉具設置部に固定するための固定手段は、密閉具自体を密閉具設置部に対して嵌入や係合等できるように構成してもよく、或いは、接着剤や粘着テープ、ベルクロ、ビス、ステーブル、マグネット等の密閉具以外のものを用いたものでもよく、これらを複合させたものであってもよい。
【００５９】
また、取外し体24は、着脱自在となっているものでもよく、取外しのみしかできないものであってもよい。
【００６０】
さらに、取り外し体24の取外し板41は、１枚ごとに取外し可能としたが、２枚や３枚等、複数枚単位で取外し可能となっていてもよい。なお、より細かい距離調節を行うことを可能にするために、好ましくは、１枚ごとに取外し可能となっているものがよい。
【００６１】
また、密閉具20を固定的に取り付けて設置する設置凹溝部16等の密閉具取付部である密閉具設置部は、上下方向のみならず水平方向に設けてあってもよく、要するに、移動可能な当接部である移動体としての扉体に対向する対向部である扉用枠体の少なくとも一部に、設置凹溝部等の密閉具設置部が設けられていればよい。なお、扉用枠体に設けられた設置凹溝部の全体に密閉具が固定された状態に設けられている必要はなく、閉鎖装置としての開閉装置である扉装置の設置場所、状況や使用目的等により密閉具の設置固定状況を可変させてもよい。
【００６２】
また、密閉具20は遮蔽により流体移動を阻止するものと説明したが、完全に阻止するもの、完全ではないがほぼ阻止するもの、多少阻止するものを含む。また、密閉具20による遮蔽対象物は、空気等の気体以外に、水等の液体、電磁波等の波動体等でもよい。さらに、密閉具20には扉体15と扉用枠体12との干渉を阻止する働きもある。
【００６３】
【発明の効果】
請求項１記載の発明によれば、変形抑制体にて接触体が所定の許容変形量を超えて変形するのを抑制できるので、例えば当接部を付け直す等の作業が必ずしも必要でなく、取付誤差、製品誤差等の誤差に適切に対応できる。
【００６４】
請求項２記載の発明によれば、基体の基準面からの距離を調節でき、かつ、変形抑制体にて接触体が所定の許容変形量を超えて変形するのを抑制できるので、取付誤差、製品誤差等の誤差により一層適切に対応できる。
【００６５】
請求項３記載の発明によれば、距離調節用の取外し体を基体から取り外すことによって、基体の基準面からの距離を簡単に調節できる。
【００６６】
請求項４記載の発明によれば、積層された複数枚の取外し板を必要な枚数だけ取り外すことによって、基体の基準面からの距離を細かく調節できる。
【００６７】
請求項９記載の発明によれば、例えば移動体を付け直す等の作業を必ずしも必要とすることなく、取付誤差、製品誤差等の誤差に適切に対応できる。
【００６８】
請求項１０記載の発明によれば、当接部とこの当接部に接触する請求項１ないし８のいずれか一記載の密閉具とを具備しているもので、当接部および密閉具がそれぞれの効果を奏することができる。
【００６９】
請求項１１記載の閉鎖装置は、当接部は所定方向に向って移動して被閉鎖部を閉鎖する移動可能な移動体であり、移動体および密閉具がそれぞれの効果を奏することができる。
【図面の簡単な説明】
【図１】  本発明の一実施の形態の閉鎖装置の密閉具を示す平面図である。
【図２】  同上閉鎖装置の概略図である。
【図３】  同上閉鎖装置の密閉具の効果を説明するための図である。
【図４】  同上閉鎖装置の密閉具の効果を説明するための図である。
【図５】  同上閉鎖装置の密閉具の効果を説明するための図である。
【図６】  従来の閉鎖装置を示す図である。
【符号の説明】
11    閉鎖装置である扉装置
13    被閉鎖部
15    当接部である移動体としての扉体
16 設置凹溝部
20    密閉具
21    基準面
23    基体
24    取外し体
25    接触体
32 基台
33 突出板
34 位置決め固定手段である羽根部
36 連絡部
36a 連絡面
37    変形抑制体としての変形抑制部
38    作用当接部
39 連結部
41    取外し板
45 切欠き部
46 連結端部
47 山
48 凹凸面
Ｘ    基体の基準面からの距離
イ 接触体の上下方向の中心軸線
【図１】
0004574870.tif 000002
【図２】
0004574870.tif 000003
【図３】
0004574870.tif 000004
【図４】
0004574870.tif 000005
【図５】
0004574870.tif 000006
【図６】
0004574870.tif 000007